(57)【要約】  実質的にフラッシュ・サーフェス化された車両用窓フレームアセンブリ（２０）は、固定パネル（５８）とスライドパネル（４８）とにより画定される窓開口部を有している。窓開口部の水平方向縁部の近傍に置配された、互いに平行であり、アセンブリの幅方向に延びる固定レール（４２，５２）は、スライドパネルの両端部に取り付けられたロケータレール（４４，５４）と嵌合する。開口部の垂直方向縁部の近傍で、固定パネルに取り付けられたピラーシール部材（６２）は、スライドパネルが開口部を覆ったときに、スライドパネルとシール可能に接触する。また、開口部の水平方向の縁部を形成する固定パネル端部に取り付けられたスライドシール部材（４６，５６）は、スライドパネルが開口部を覆ったときに、スライドパネルとシール可能に接触する。
2005515924.tif 000002
【特許請求の範囲】
【請求項１】
窓開口部の少なくとも一部を画定すべく配置された少なくとも１つの固定パネルと、
前記固定パネルの主面上で互いに平行となるように配置された、前記窓開口部の上方に位置する第１固定レール及び前記窓開口部の下方に位置する第２固定レールと、
互いに反対側にある第１及び第２スライドパネル端部と少なくとも１つの主面を有する少なくとも１つのスライドパネル、前記第１スライドパネル端部上に配置された第１ロケータレール、及び前記第２スライドパネル端部上に配置された第２ロケータレールを含んでいるスライドパネルアセンブリとを備えており、
前記第１ロケータレールは前記第１固定レールと嵌合して接触しており、前記第２ロケータレールは前記第２固定レールと嵌合して接触しており、前記スライドパネルアセンブリは前記両固定レール上で滑動することができ、前記スライドパネルアセンブリは前記窓開口部を少なくとも部分的に閉じることができることを特徴とする窓フレームアセンブリ。
【請求項２】
互いに反対側にある固定パネル両端部の全体に実質的に配置され、互いにシール可能に隣接し、前記スライドパネルが前記窓開口部の少なくとも一部を閉じたときに、前記スライドパネルの前記少なくとも１つの主面とシール可能に接触することができるスライドシール部材をさらに備えていることを特徴とする請求項１に記載の窓フレームアセンブリ。
【請求項３】
少なくとも１つの固定パネルの主面上に前記固定パネル両端部の残り全体に渡って配置され、互いにシール可能に隣接し、前記スライドシール部材とシール可能に隣接し、前記スライドパネルが前記窓開口部の少なくとも一部を閉じたときに、前記スライドパネルの前記少なくとも１つの主面とシール可能に接触することができ、そのことにより水分及び騒音が前記窓開口部を通過するのを防ぐピラーシール部材をさらに備えていることを特徴とする請求項２に記載の窓フレームアセンブリ。
【請求項４】
窓開口部を形成するために配置され、窓フレーム周縁部に配置されたシール部材を有しており、固定パネル端部を有する少なくとも１つの固定パネルと、
前記固定パネルの主面上で互いに平行に配置されており、前記窓開口部の上方及び下方に位置する第１固定レール及び第２固定レールと、
第１及び第２スライドパネル端部と少なくとも１つの主面を有する少なくとも１つのスライドパネル、第１スライドパネル端部上に配置された第１ロケータレール、及び前記第２スライドパネル端部上に配置された第２ロケータレールとを有しており、前記第１及び第２固定レールと嵌合して接触し、前記両固定レールの全長に渡って滑動することができるように配置され、前記窓開口部を少なくとも部分的に閉じることができるスライドパネルアセンブリと、
互いに反対側にある固定パネル両端部の全体に実質的に配置され、互いにシール可能に隣接し、前記スライドパネルが前記窓開口部の少なくとも一部を閉じたときに、前記スライドパネルの少なくとも１つの主面とシール可能に接触することができるスライドシール部材と、
少なくとも１つの固定パネルの主面上に前記固定パネル両端部の残り全体に渡って配置され、互いにシール可能に隣接し、前記スライドシール部材とシール可能に隣接し、前記スライドパネルが前記窓開口部の少なくとも一部を閉じたときに、前記スライドパネルの前記少なくとも１つの主面とシール可能に接触することができ、そのことにより水分及び騒音が前記窓開口部を通過するのを防ぐピラーシール部材と
を備えていることを特徴とする窓フレームアセンブリ。
【請求項５】
互いに間隙を介して平行に配置された、第１フェイシア端部を有する第１フェイシアパネル及び第２フェイシア端部を有する第２フェイシアパネルと、
互いに間隙を介して平行に配置され、それぞれ固定パネル端部を有する２つの固定パネルと、
前記第１フェイシアパネルの第１フェイシア面上に配置され、窓開口部の近傍に位置し、前記第１フェイシア端部と平行であり、窓フレーム周縁部に向かって延びる第１固定レールと、
前記第２フェイシアパネルの第２フェイシア面上に配置され、前記窓開口部の近傍に位置し、前記第２フェイシア端部と平行であり、窓フレーム周縁部に向かって延びる第２固定レールと、
前記窓フレーム周縁部上に配置される窓フレームアセンブリシール部材とを備えており、
前記第１フェイシア端部、第２フェイシア端部及び２つの固定パネル端部の間に窓開口部を形成すべく、前記第１及び第２フェイシア端部は前記固定パネル端部に対して垂直であり、前記第１フェイシアパネル、前記第２フェイシアパネル及び前記２つの固定パネルは、窓フレーム周縁部を形成すべく、互いに隣接しつつ、前記窓開口部から離れて延びていることを特徴とする窓フレームアセンブリ。
【請求項６】
前記第１フェイシアパネル、前記第２フェイシアパネル及び前記２つの固定パネルは、ガラスから成ることを特徴とする請求項５に記載の窓フレームアセンブリ。
【請求項７】
前記第１フェイシアパネル、前記第２フェイシアパネル及び前記２つの固定パネルは、プラスチックから成ることを特徴とする請求項５に記載の窓フレームアセンブリ。
【請求項８】
前記窓フレームアセンブリシール部材は、封止可能なシール部材から成ることを特徴とする請求項５に記載の窓フレームアセンブリ。
【請求項９】
前記封止可能なシール部材は、反応射出成形法により成形されることを特徴とする請求項８に記載の窓フレームアセンブリ。
【請求項１０】
前記封止可能なシール部材は、熱可塑性エラストマー成形法により成形されることを特徴とする請求項８に記載の窓フレームアセンブリ。
【請求項１１】
第１スライドパネル端部及び第１スライドパネル端部を有する少なくとも１つのスライドパネルと、
前記第１スライドパネル端部上に配置される第１ロケータレールと、
前記第２スライドパネル端部上に配置される第２ロケータレールと
を備えていることを特徴とするスライドパネルアセンブリ。
【請求項１２】
前記少なくとも１つのスライドパネルは、ガラスから成ることを特徴とする請求項１１に記載のスライドパネルアセンブリ。
【請求項１３】
前記少なくとも１つのスライドパネルは、プラスチックから成ることを特徴とする請求項１１に記載のスライドパネルアセンブリ。
【請求項１４】
互いに間隙を介して平行に配置された、第１フェイシア端部を有する第１フェイシアパネル及び第２フェイシア端部を有する第２フェイシアパネルと、
互いに間隙を介して平行に配置され、それぞれ固定パネル端部を有する２つの固定パネルと、
前記第１フェイシアパネルの第１フェイシア面上に配置され、窓開口部の近傍に位置し、前記第１フェイシア端部と平行であり、窓フレーム周縁部に向かって延びる第１固定レールと、
前記第２フェイシアパネルの第２フェイシア面上に配置され、前記窓開口部の近傍に位置し、前記第２フェイシア端部と平行であり、窓フレーム周縁部に向かって延びる第２固定レールと、
前記窓フレーム周縁部上に配置された窓フレームと、
第１スライドパネル端部及び第２スライドパネル端部を有する少なくとも１つのスライドパネルと
それらの間に少なくとも１つのスライドパネルと共に、及び前記第２固定レールと嵌合して接触する第２ロケータレールと、
第１スライドパネル端部上に配置され、前記第１固定レールと嵌合して接触する第１ロケータレールと、
第２スライドパネル端部上に配置され、前記第２固定レールと嵌合して接触する第２ロケータレールと、
前記第１固定レール及び前記第２固定レール間を、窓フレームアセンブリの全長に渡って、スライド可能に移動できるように構成された集合体と、
前記窓開口部の幅方向に、及び前記窓開口部と平行に、前記第１フェイシアパネル上に配置された第１スライドシール部材と、
前記窓開口部の幅方向に、及び前記窓開口部と平行に、前記第２フェイシアパネル上に配置された第２スライドシール部材と、
前記第２つの固定パネルの各固定パネル面上に配置された２つのピラーシール部材とを備えており、
前記第１及び第２フェイシア端部は前記固定パネル端部に対して垂直であり、前記第１フェイシア端部、前記第２フェイシア端部及び前記２つの固定パネル端部の間に窓開口部を形成し、前記第１フェイシアパネル、前記第２フェイシアパネル及び前記２つの固定パネルは、窓フレーム周縁部を形成すべく、互いに隣接しつつ、前記窓開口部から離れて延びており、
前記第１固定レール及び前記第２固定レールは、窓フレームアセンブリの全長に渡って互いに平行であり、
第１ロケータレールと第２ロケータレールとの間には、少なくとも１つのスライドパネルが一体となっており、
各ピラーシール部材は、平行であり、前記窓開口部の幅方向に延びており、前記第１及び第２スライドシール部材に対して垂直であり、第１及び第２スライドシール部材に対してシール可能に隣接しており、
前記第１スライドシール部材は、少なくとも１つのスライドパネルが前記窓開口部を横切ったときに、騒音及び水分が前記窓開口部を通過するのを防ぐべく、前記第２スライドシール部材と共に、さらには各ピラーシール部材と共に、車両の外側に露出する少なくとも１つのスライドパネルのスライド面とシール可能に接触し、
前記窓フレームアセンブリシール部材、前記固定パネル、前記第１フェイシアパネル、前記第２フェイシアパネル、前記第１固定レール、前記第２固定レール、前記第１ロケータレール、前記第２ロケータレール、前記少なくとも１つのスライドパネル、前記ピラーシール部材、前記第１スライドシール部材、及び前記第２スライドシール部材の集合体は、車両ボディフレームの車両ボディ開口部内に配置され、
さらには、車両ボディ開口部内の前記集合体の累積厚さは、前記集合体を車両ボディフレーム外部の平面上に配置させることを特徴とする実質的にフラッシュ・サーフェス化された車両用窓フレームアセンブリ。
【請求項１５】
前記第１フェイシアパネル、前記第２フェイシアパネル、前記２つの固定パネル、及び前記少なくとも２つのスライドパネルは、ガラスから成ることを特徴とする請求項１４に記載の実質的にフラッシュ・サーフェス化された車両用窓フレームアセンブリ。
【請求項１６】
前記第１フェイシアパネル、前記第２フェイシアパネル、前記２つの固定パネル、及び前記少なくとも２つのスライドパネルは、プラスチックから成ることを特徴とする請求項１４に記載の実質的にフラッシュ・サーフェス化された車両用窓フレームアセンブリ。
【請求項１７】
前記窓フレームアセンブリシール部材は、封止可能なシール部材から成ることを特徴とする請求項１４に記載の実質的にフラッシュ・サーフェス化された車両用窓フレームアセンブリ。
【請求項１８】
前記封止可能なシール部材は、反応射出成形法により成形されることを特徴とする請求項１７に記載の実質的にフラッシュ・サーフェス化された車両用窓フレームアセンブリ。
【請求項１９】
前記封止可能なシール部材は、熱可塑性エラストマー成形法により成形されることを特徴とする請求項１７に記載の実質的にフラッシュ・サーフェス化された車両用窓フレームアセンブリ。
【請求項２０】
前記スライドシール部材は、エチレンプロピレンジエンモノマーから成ることを特徴とする請求項１４に記載の実質的にフラッシュ・サーフェス化された車両用窓フレームアセンブリ。
【請求項２１】
前記ピラーシール部材は、エチレンプロピレンジエンモノマーから成ることを特徴とする請求項１４に記載の実質的にフラッシュ・サーフェス化された車両用窓フレームアセンブリ。
【請求項２２】
前記窓フレームアセンブリシール部材は、前記固定パネルの表面上に配置される片側だけのシール部材から成ることを特徴とする請求項１４に記載の実質的にフラッシュ・サーフェス化された車両用窓フレームアセンブリ。
【請求項２３】
前記窓フレームアセンブリシール部材は、前記固定パネルの表面及び窓フレーム周縁部上に配置される、片側だけ及び端部だけのシール部材から成ることを特徴とする請求項１４に記載の実質的にフラッシュ・サーフェス化された車両用窓フレームアセンブリ。
【請求項２４】
第１フェイシアパネル、第２フェイシアパネル、及び２つの固定パネルが隣接する間に、窓開口部を形成するステップと、
隣接する前記第１フェイシアパネル、前記第２フェイシアパネル、及び前記２つの固定パネルを、前記窓開口部から離れる方向に延ばすことにより、窓フレーム周縁部を形成するステップと、
前記第１フェイシアパネルの第１フェイシア面に、第１固定レールを配置するステップと、
前記第２フェイシアパネルの第２フェイシア面に、第２固定レールを配置するステップと、
前記窓フレーム周縁部上に窓フレームアセンブリシール部材を配置するステップと、
少なくとも１つのスライドパネルの第１スライドパネル端部上に第１ロケータレールを配置するステップと、
少なくとも１つのスライドパネルの第２スライドパネル端部上に第２ロケータレールを配置するステップと、
前記少なくとも１つのスライドパネル、前記第１ロケータレール、及び前記第２ロケータレールの集合体を、前記第１固定レールと前記第２固定レールの間に取り付けるステップと、
前記第１フェイシア端部に第１スライドシール部材を配置するステップと、
前記第２フェイシア端部に第２スライドシール部材を配置するステップと、
各固定パネルの表面にピラーシール部材を配置するステップと
を含むことを特徴とする実質的にフラッシュ・サーフェス化された車両用窓フレームアセンブリの製造方法。
【発明の詳細な説明】
【技術分野】
【０００１】
本発明は窓フレームアセンブリに関し、詳しくは、車両の後部窓用のスライドパネル機構及びシールシステムを有するアセンブリに関する。さらに、詳しくは、本発明は、車両ボディフレームのボディ開口部に実質的にフラッシュ・サーフェス化された、車両の後部窓用のスライドパネル機構及びシールシステムを有する窓フレームアセンブリ、及びその製造方法に関する。
【背景技術】
【０００２】
ピックアップトラックや他の関連する車両は、パッセンジャーコンパートメント内の座席のすぐ後ろにある、車両ボディ開口部に取り付けられたリアウィンドウ（後部窓）を有している。一般に、そのような後部窓は、ピックアップトラックの製造者にボディフレームアセンブリとして提供され、組立ラインで製造される新しい車両に取り付けられるか、補修部品市場にて自動車部品の小売店に提供され、既存のトラックの所有者に直接販売される。
【０００３】
後部窓アセンブリは、一般に、金属製の窓フレーム（例えばアルミ製である）を含んでおり、前記窓フレームは、その上端及び下端にガラスパネルをスライドさせるのを容易にするための溝を備えている。また、一般に、プラスチックのフレームがアセンブリ全体を取り囲んでいる。
【０００４】
そして、前記後部窓アセンブリは、車両ボディフレームの車両ボディ開口部に直接埋め込むことができる。このアセンブリは、接着剤及び／又は機械的な固定手段により、車両のボディ開口部に固定される。接着剤としては、ウレタン接着剤がよく使用される。そのような接着剤は、車両ボディ開口部又は後部窓アセンブリの取付面に、それら２つの構造体を接着のために接触させる前に、塗布される。そのような従来の構造では、結果として、溝、シール、及び様々な他の部品の累積厚さは、アセンブリのそれらの部分を車両ボディ開口部より外側に突き出させる原因となる。
【０００５】
さらに、ピックアップトラックの後部窓アセンブリは、水漏れなどの問題の原因となる。水漏れは、後部窓アセンブリとボディパネルの嵌合部で生じ、概して不適切な接着剤の塗布又はボディのゆがみにより引き起こされる。水漏れは、そのエッジにシールが伸張されている窓開口部の周囲で生じる。窓開口部の縁部（edge）は、複数の固定パネルで形成されている（固定パネル間には支柱が取り付けられている）。水漏れしないシーリングは、全ての窓開口部シール部材の完全性を保証するために、スライドパネルの全てのエッジで必要とされている。
【０００６】
後部窓アセンブリに用いられる主要な構造は、２つの金属製のブラケットを有し、その周囲に２つの溝が延びるアセンブリから構成されている。固定パネルは、パネル間の開口部の周りの外側の溝に固定された２つの水平方向及び２つの垂直方向のシール部材と間隙を介して、平面の外側の溝に取り付けられる。スライドパネルは、固定パネルと隣接する内側の溝に配置される。閉位置では、固定パネル間で窓開口部をシールすべく（及び必要ならば互いにシールすべく）、スライドパネルはシール部材とシール可能に嵌合する。また、開位置に動かすときは、スライドパネルは、外側の溝の固定パネルと重なるように（必要ならば互いに重なるように）、内側の溝をスライドする。
【０００７】
窓開口部シール部材は、ゴム、プラスチック、又は適切な物質（例えば、エチレンプロピレンジエンモノマー（ethylene propylene diene monomer：ＥＰＤＭ））から作られる。そして、水や埃がスライドパネルの周囲に侵入するのを防ぐべく、スライドパネルと弾力的に嵌合する、伸ばされたリップを含む。これらのシール部材は、固定パネル間の外側の溝に取り付けられる。窓開口部シール部材は、シール部材の周囲から水が漏れてアセンブリ内（最終的には車両のパッセンジャーコンパートメント内）に入るのを防ぐべく、リップでシール部材が十分な圧力を保っている間は、スライドパネルの水平方向の摺動を容易にする。
【０００８】
窓フレームアセンブリの周りにシール部材を正確に取り付けるために、手作業による製造段階が必要とされている。窓の製造者は、代わりの、しかし完全に満足できるものではないシーリングシステムを見つけた。それは、個々のゴム又は適切なシール部材を使用することなく窓フレームをシールする方法であり、それにより生産作業中の材料及び仕事コストを減少させ、スライドパネル周囲のシールの完全性を向上させることができる。
【０００９】
また、ゴム又は適切なシール部材は高価であり、取り付けるのも難しいので、前記方法は今もなお必要とされている（又は、ある実施形態では好ましい）。これらのシール部材が正確に取り付けられなかった場合は、水平の溝内に又は車両ボディ開口部の垂直方向の端部に沿って、水漏れが生じる。後部窓での、窓フレームアセンブリの周囲にこれらのシール部材を固定するための、改善された方法（例えば封止成形（encapsulation）など）が業界では望まれている。
【００１０】
さらに、上記した要件をシーリングするためには、いくつかのさらなる要件が要求されるが、その要件は、ピックアップトラックでスライドパネルアセンブリを使用するとしばしば問題が生じる。閉位置では、後部窓パネルアセンブリは、パッセンジャーコンパートメント内の騒音レベルを許容範囲に保つことを目的とする。車両から締め出されるべき騒音は、風や交通騒音に起因する。溝の排水孔や他の設計上の特徴は、衝突した水分を除去するために使用されるが、結果として車両のパッセンジャーコンパートメント内の騒音を増大させる。
【００１１】
高い又は可変するスライドさせる力が、後部窓パネルアセンブリにおける他の懸案事項である。スライドパネルは、一般にゴムやプラスチックのガイドを含んでおり、そのガイドによりスライド可能なパネルを下部の内部溝に固定している。スライド可能なパネルはガイド内で自由にスライドするが、その間は、ゴムのシーリング部材のリップをシール可能に嵌合すべく位置している。シールが不正確に取り付けられると（例えばズレのせいで）、移動可能なパネルはスライドするのが難しくなる。窓フレームの溝もまたズレるかもしれない。ゴム（又は適切なシール）と溝ガイドのスライド特性は、スライドパネルとシール間で必要なシール力を保っている間は、スライドパネルのスライドを可能にする。
【００１２】
後部窓アセンブリでしばしば生じる他の問題は、スライドパネルのガタツキである。スライドパネルが開位置に移動したとき、車両の運転中にパネルがガタつくのを防ぐべく、溝ガイドはスライドパネルを保持する。
【００１３】
車両において実質的にフラッシュ・サーフェス化された窓アセンブリを実現することは、スライドパネルアセンブリに適用される新たな基準である。実質的にフラッシュ・サーフェス化された窓アセンブリの利点は、車両のパッセンジャーコンパートメント全体の後部ボディフレームから突出するスライドパネルアセンブリと比べて、車両のアセンブリの外観が向上することである。
【００１４】
一般に、実質的にフラッシュ・サーフェス化されたスライドパネルアセンブリは、次の（１）〜（５）により実現される。
（１）窓アセンブリフレームとして、実質的な同一平面上に窓アセンブリのパネルを有する。
（２）スライドパネルが閉じられたときに固定パネルと同一平面であり、スライドグラスが開けられたときにスライドパネルを固定パネルの背後に移動することができるスライドパネルを有する。
（３）窓フレームアセンブリ全体を車両ボディフレームに嵌め込み、窓パネルの外面が、実質的に、車両ボディフレームと同一平面となるような位置となるようにする。
（４）スライドパネルを車両ボディ開口部の奥まった場所に移動させる。
（５）窓アセンブリを車両ボディフレームの平面に取り付け、実質的にフラッシュ・サーフェス化された外観を実現すべく、固定パネルとスライドパネルの分離を最小化する。
【００１５】
要約すれば、後部窓の窓アセンブリとスライドパネルアセンブリは、閉位置における水漏れ及び交通騒音を減少させる又は解消するための適切なシールを保つ。スライドパネルは、要求されるシールを妥協することなく、容易に動かすことができる。開位置では、パネルのガタツキを防ぐべく、スライドパネルアセンブリは溝内で固定される。外観としては、実質的にフラッシュ・サーフェス化することは、後部窓の窓アセンブリに提供することができる望ましい特長である。
【００１６】
従来、後部窓アセンブリをピックアップトラックのボディ開口部に固定するのには、接着剤が使用される。また、ゴム（又は適切なシール部材）とガイドをアセンブリに固定するのにも、接着剤が使用される。窓開口部シール部材及びガイド壁に対するスライドパネルアセンブリのスライドを容易にするために、スリップ塗料及び他の潤滑剤がしばしば使用される。同じ組立ラインにおいてそのような近傍に接着剤及び潤滑剤を適用することは、製造コストを増加させる。また、もし、それらを不正確に塗布した場合は、品質の問題が生じる。
【００１７】
ピックアップトラックの後部窓用の窓フレームアセンブリは、米国特許第5,294,168（Kronbetter）に開示されている。この窓アセンブリは、２つの溝を有する複合した上端及び下端のレール、固定ガラスとゴム（又は同等のシール部材）の２つの外側部品を取り付けるための外側溝、及びガイドとスライド窓を固定するための内側溝を備えている。
【００１８】
この特許では、窓フレームのアセンブリは、ガイドを内側溝に嵌め込むことにより始まる。窓フレームに固定窓パネルを固定するために、外側溝に接着剤が塗布される。スライド窓パネルはガイドに嵌め込まれ、下端の金属製の窓フレーム部分と、湾曲した上端の金属製の窓フレーム部分とが、溶接又は他の方法により一体に結合される。また、内側溝に嵌め込まれるスライドパネルがスライド可能かつシール可能となるように、窓フレームの外側溝にはシール部材が取り付けられる。そして、窓フレームアセンブリはピックアップトラックに取り付ける準備が整う。
【００１９】
この特許における窓アセンブリの金属製の窓フレームは、製造及び組み立てるためのコストが高い。例えばピックアップトラック製造では、現在、取り付けるのが容易で要求される機能を全て備えている、安上がりの窓アセンブリが求められている。
【００２０】
近年は、自動車用ガラスの供給者は、自動車の製造者に、反応射出成形法（reaction injection molding）により現場で（in situ）モールド成型されたウレタンガスケットを有するモジュール式組立品の窓を供給している。これらのガスケットは、ガラス窓の周縁部を封止（encapsulate）する。このことにより、車両のボディ開口部において、ガラスと車両のボディフレーム間が効果的にシールされる。ガスケットによる封止化（Encapsulation）は、板ガラスを適切なモールドに入れ、その後モールドに流体の塑性加工組成物を注入することにより実現される。このことにより、その窓フレームの周縁部では、組成物は重合し、板ガラスと接触し、そこにしっかりと付着して保存される。
【００２１】
反応射出成形プロセスの進行の前に、車両の窓アセンブリは、パネル板の周縁部の周囲に塗布される接着性シーリング材、適切な機械的固定手段（例えば、金属製クリップ）、及びパネル板の周縁部と車両ボディフレームの隣接部分との接合部を覆うべく配置される外部の装飾的な装飾ストリップを含む複数の要素から成っている。
【００２２】
初期の車両用の窓ガスケットは、モールド成形されたプラスチック材料（例えばポリ塩化ビニール）より作成されている。ポリ塩化ビニール（ＰＶＣ）を射出成形処理するためには、比較的高い圧力が必要であるが、結果としてガラス破損や他の製造に関する問題が生じる。ＰＶＣ窓アセンブリの製法は、米国特許第4,072, 340（Morgan）に開示されている。
【００２３】
１９８０年代に、窓モジュールを製造するために、ガラス破損を減らすことができ、ロボットにより自動車窓に取り付けるのが容易である、反応射出成形法による封入成形法（encapsulation process）が開発された。米国特許第4,561, 625（Weaver）は、反応射出成形技術を用いて、低圧下で、ポリウレタンを使用してガラスの周縁部にモールド成形する方法を説明している。ポリウレタンガスケットは、従来の接着性シール部材が不要であるという点で、大きな意義があった。ガラス板の周縁部と車両ボディフレームの隣接する部分との結合部を保護するために、補助的な金属製クリップと外部の装飾的装飾ストリップが配置される。
【００２４】
つい最近では、封入化されたフレームシール部材を製造するのには、ＰＶＣを使用した射出成形法が用いられる。ＰＶＣ材料は、一般に、反応射出成形法で使用される材料よりも低価格であるので、好ましい結果をもたらしている。
【００２５】
米国特許第4,755, 339（Reilly他）と、米国特許第4,839, 122（Weaver）は、窓ガスケットの反応射出成形のための、さらに詳細な方法及び装置に関して開示している。
【００２６】
ガラスの機能性を向上させるために、金属製ブラケット及びスペーサが反応射出成形法組み込まれる。米国特許第4,662, 113（Weaver他）は、自動車のドア窓に使用される窓アセンブリを開示している。ブラケットは、窓ガラスと共にモールド内に入れられ、反応射出成形法によるガスケットの成形中は、窓ガラスと一体的に固定される。ブラケットは、自動車の窓ガラスを上げ下げするリンケージ又は他の駆動手段を窓ガラスに結合する方法を提供する。
【００２７】
米国特許第4,951, 927（Johnston他）は、２枚のガラス間のスペースを保つために使用されるスペーサ素子を開示している。このスペース素子は、ガラスを反応射出成形するべくモールド内に入れる前に、両ガラス板の窓フレーム周縁部の周囲に配置される。このことにより、両ガラス板の窓フレーム周縁部の周囲に、封入されたガスケットが成形され、複合ガラス構造体が作られる。
【００２８】
反応射出成形により成形されたガスケットの好ましい特徴により、いくつかのさらなる用途のために次の製法が使用される。米国特許第5,060, 440号（Weaver）は、反応射出成形中に、隣接するガスケットと弾力的に結合する２枚のガラス板を開示している。また、米国特許第4,996, 808号（Weaver）は、ガスケット成形過程の前に、前もって成形したプラスチック材料シートがモールド内に入れられた、封止された窓アセンブリを開示している。
【００２９】
つい最近では、熱可塑性エラストマーが適用される、シール部材を封入成形する技術が提案されている。米国特許第5,822, 932号（Agrawal他）では、一般的なＲＩＭ材料よりも優れた熱可塑性物質を融解処理して製造された金属製のガスケットの、改善された持続的な、障害に強い結合を開示している。
【００３０】
米国特許第6,293, 609号（Xu他）は、一般的なＲＩＭウレタン及びＰＶＣ材料より優れた、熱可塑性エラストマーの潜在的な利点（１）〜（８）について言及している
（１）シール部材が長期に渡って紫外線にさらされた場合の、シール部材の寿命の向上。
（２）シール部材の製造するための製作所要時間の短縮。
（３）材料コストの低減。
（４）シール部材及び窓パネル間の張力又は剪断力に対する耐性の向上による、シール部材の寿命の長期化。
（５）ガスケット及びシーリング材が不用となるため、シール部材の製造が簡略化されること。
（６）低温作業特性の向上。
（７）耐クリープ性の向上（クリープはシール部材の所望するシーリング位置からの移動であるため）。
【００３１】
実質的にフラッシュ・サーフェス化されたスライド窓アセンブリに関しては、米国特許第5,442, 880号（Gipson）が、パネルの外側の面を、スライド窓アセンブリの周縁部フレームとして、実質的に同じ平面に置くことにより、実質的にフラッシュ・サーフェス化することを実現している。しかしながら、この特許では、パネルの外側の面と、周縁部フレームの外側の面は、車両フレームの外側の表面から突き出て見える。
【００３２】
米国特許第5, 522, 191号（Wenner他）では、スライド窓アセンブリを、車両のパッセンジャーコンパートメントの内部に突き出させて、スライド窓アセンブリの外側の表面を、近隣のボディパネルの輪郭と基本的に同一平面にさせることにより、実質的にフラッシュ・サーフェス化することを実現している。
【００３３】
米国特許第5,542, 214号（Buening）は、スライドガラスが閉位置のときに、スライドガラスを固定ガラス面と同一面となるように配置させる構造を使用している。スライドガラス窓枠は、固定窓枠と同一面となるように移動する。スライドガラス窓枠を開くためには、スライドガラスを、車両のパッセンジャーコンパートメント内部及び固定ガラス窓枠の後ろ側に移動させるための構造として、溝付きのスライドが提供されている。
【００３４】
米国特許第5,799, 444号（Freimark他）では、窓開口部を閉じたときに、固定ガラス窓枠内に実質的にフラッシュ・サーフェス化されたスライド車両窓を開示している。カム機構を使用することにより、スライドガラス窓枠は、車両のパッセンジャーコンパートメントの内部に配置される。このことにより、スライドガラス窓枠を窓開口部から移動させた後、固定ガラスパネルの背後に移動させることができる。
【００３５】
米国特許第6,220, 650号（Davis他）では、車両の側部にある三角窓又は後部窓に使用することができ、スライド可能な窓がドアパネル内又は後部の奥まった場所のパネル内で下がることができる、従来の車両の側部の窓と酷似した、実質的にフラッシュ・サーフェス化されたスライドガラスパネルを提供している。
【発明の開示】
【発明の効果】
【００３６】
（発明の概要）
実質的にフラッシュ・サーフェス化された車両用窓フレームアセンブリは、窓開口部の少なくとも一部を画定すべく配置された少なくとも１つの固定パネルと、固定パネルの主面上で互いに平行となるように配置された、窓開口部の上方に位置する第１固定レール及び窓開口部の下方に位置する第２固定レールとを備えている。前記車両用窓フレームアセンブリは、さらに、少なくとも１つのスライドパネル、第１のスライドパネル端部に配置される第１のロケータレール、及び第２のスライドパネル端部に配置される第２のロケータレールを有するスライドパネルアセンブリを備えている。スライドパネルは、互いに反対側にある第１及び第２のスライドパネル端部と、少なくとも１つの主面を有している。
【００３７】
前記車両用窓フレームアセンブリは、さらに、前記第１固定レールと嵌合して接触する第１ロケータレールと、前記第２固定レールと嵌合して接触する第２ロケータレールとを備えており、これらのレールによりスライドパネルアセンブリは、両固定レール上をスライド動作することが可能となり、さらには窓開口部を少なくとも部分的に閉めることが可能となる。
【００３８】
窓開口部から車両のパッセンジャーコンパートメント内に騒音及び水分が入るのを防ぐために、窓開口部の上側及び下側部分の互いに反対側の端部には、第１及び第２のスライドシール部材が配置される。また、窓開口部の垂直方向の互いに反対側の端部には、ピラーシール部材が配置される。スライドシール部材及びピラーシール部材の両方は、スライドパネルが窓開口部を少なくとも部分的に閉じたときに、スライドパネルとシール可能に接触する。
【００３９】
結果として、アセンブリの実質的なフラッシュ・サーフェス化は、窓フレームアセンブリ、固定パネル、及びスライドパネルを、実質的な車両ボディフレームの外部の平面に、取り付けることにより実現される。
【００４０】
本発明のさらなる目的及び利点は、後述する詳細な説明及び添付した特許請求の範囲により明らかになろう。
【発明を実施するための最良の形態】
【００４１】
図１は、車両のパッセンジャーコンパートメント内から見た、実質的にフラッシュ・サーフェス化された車両用窓フレームアセンブリ１０の一部を示す立面図である。図１では、窓開口部６０の一部が示されている。図１に示すように、窓フレームアセンブリ２０は、窓フレーム周縁部６８にて、車両ボディフレーム３０の車両ボディ開口部６５に取り付けられている。
【００４２】
図２は図１の２−２線断面図であり、図１における上側部分を示している。図２は、車両ボディ開口部６５の外面と内面との間における窓フレームアセンブリ２０の累積厚さにより、実質的にフラッシュ・サーフェス化された外観が実現されることを示している。第１固定レール４２は、第１フェイシアパネル４０の第１フェイシア面４７に取り付けられる。窓フレームアセンブリ２０の長さ方向に延びる第１固定レール４２は、窓フレームアセンブリ２０のスライド動作を可能にすべく、第１ロケータレール４４を含むスライドパネルアセンブリ６６と嵌合し、スライドパネルアセンブリ６６用のスライド経路を形成する。第１ロケータレール４４は、少なくとも１つのスライドパネル４８の第１スライドパネル端部４５に取り付けられている。第１フェイシアパネル４０としては、例えばガラスやプラスチックを用いることができる。また、前記少なくとも１つのスライドパネル４８としては、例えばガラスやプラスチックを用いることができる。
【００４３】
第１スライドシール部材４６は、第１フェイシアパネル４０の第１フェイシア端部４１に取り付けられている。第１スライドシール部材４６は、車両のパッセンジャーコンパートメントの外側で、少なくとも１つのスライドパネル４８のスライド面４９とシール可能に接触する。この第１スライドシール部材４６は、スライドパネルアセンブリ６６が窓開口部６０を閉じたときに、騒音及び水が車両のパッセンジャーコンパートメント内に入るのを防止する。第１スライドシール部材４６としては、例えば、エチレンプロピレンジエンモノマー（ＥＰＤＭ）を用いることができる。車両のボディ開口部６５では、窓フレーム周縁部６８上に窓フレームアセンブリシール部材６４が配置されている。窓フレームアセンブリシール部材６４としては、例えば、反応射出成形法又は熱可塑性エラストマー射出成形法により成形することができる、封止成形方法（encapsulation process）を用いることができる。また、窓フレームアセンブリシール部材６４としては、例えば、窓フレーム周縁部６８上及びその周囲に配置される、片側だけ又は片側と端部だけの窓フレームアセンブリシール部材６４を用いることができる。
【００４４】
図３は図１の３−３線断面図であり、図１における上側部分を示している。第１固定レール４２は、少なくとも１つの固定パネル５８の固定パネル面５９に取り付けられている。第１固定レール４２は、第１ロケータレール４４と嵌合し、第１ロケータレール４４用のスライド経路を形成する。第１ロケータレール４４は、少なくとも１つのスライドパネル４８の第１スライドパネル端部４５に取り付けられている。この第１固定レール４２は、次の（１）〜（３）のために作用する。
（１）窓フレームアセンブリ２０内に、第１ロケータレール４４及び少なくとも１つのスライドパネル４８の集合体を収容する。
（２）前記集合体（第１ロケータレール４４及び少なくとも１つのスライドパネル４８の集合体）と、少なくとも１つの固定パネル５８との間の分離を維持する。
（３）前記集合体（第１ロケータレール４４及び少なくとも１つのスライドパネル４８の集合体）で、窓フレームアセンブリ２０の上側の部分をスライドさせる。
固定パネル５８としては、例えば、ガラスやプラスチックを用いることができる。
【００４５】
ピラーシール部材６２は、窓開口部６０（図１参照）の近傍で、少なくとも１つの固定パネル５８の固定パネル面５９に取り付けられている。少なくとも１つのスライドパネル４８が窓開口部６０を閉じたときに、騒音及び水が車両のパッセンジャーコンパートメント内に入るのを防止するために、ピラーシール部材６２は、少なくとも１つのスライドパネル４８と、外側のスライド面４９においてシール可能に接触する。ピラーシール部材６２としては、例えばエチレンプロピレンジエンモノマー（ＥＰＤＭ）を用いることができる。車両のボディ開口部６５では、窓フレーム周縁部６８上に窓フレームアセンブリシール部材６４が配置されている。窓フレームアセンブリシール部材６４としては、例えば、反応射出成形法又は熱可塑性エラストマー射出成形法により成形することができる、封止成形方法（encapsulation process）を用いることができる。また、窓フレームアセンブリシール部材６４としては、例えば、窓フレーム周縁部６８上及びその周囲に配置される、片側だけ又は片側と端部だけの窓フレームアセンブリシール部材６４を用いることができる。
【００４６】
図４は図１の４−４線断面図であり、図１における上側部分を示している。窓フレームアセンブリ２０は、車両ボディフレーム３０に配置されている。第１固定レール４２は、少なくとも１つの固定パネル５８の固定パネル面５９に取り付けられている。車両のボディ開口部６５では、窓フレーム周縁部６８上に窓フレームアセンブリシール部材６４が配置されている。窓フレームアセンブリシール部材６４としては、例えば、反応射出成形法又は熱可塑性エラストマー射出成形法により成形することができる、封止成形方法（encapsulation process）を用いることができる。また、窓フレームアセンブリシール部材６４としては、例えば、窓フレーム周縁部６８上及びその周囲に配置される、片側だけ又は片側と端部だけの窓フレームアセンブリシール部材６４を用いることができる。
【００４７】
図５は、車両のパッセンジャーコンパートメント内から見た、実質的にフラッシュ・サーフェス化された車両用窓フレームアセンブリ１０の下側部分の一部を破断して示す立面図である。図１では、窓開口部６０の一部が示されている。図５に示すように、窓フレームアセンブリ２０は、車両ボディフレーム３０の車両ボディ開口部６５に取り付けられている。第２スライドシール部材５６は、第２フェイシアパネル５０の第２フェイシア端部５１に取り付けられる。固定パネル５８が、第１フェイシアパネル４０及び第２フェイシアパネル５０を含んでいることに留意されたい。第２スライドシール部材５６は、騒音及び水が車両のパッセンジャーコンパートメント内に入るのを防止すべく、固定パネル端部６１の近傍に配置されているピラーシール部材６２と共に作用する。第２フェイシア端部５１は、固定パネル端部６１に対して垂直である。また、スライドシール部材５６は、ピラーシール部材６２に対して垂直である。第２フェイシアパネル５０としては、例えばガラスやプラスチックを用いることができる。第２スライドシール部材５６としては、例えばエチレンプロピレンジエンモノマー（ＥＰＤＭ）を用いることができる。
【００４８】
また、第２固定レール５２は、窓フレームアセンブリ２０の全長に延びており、第２フェイシアパネル５０と少なくとも１つの固定パネル５８に取り付けられている。また、第２フェイシア端部５１により形成されている窓開口部６０と平行に延び、近接している。第２固定レール５２は、第２ロケータレール５４と嵌合している。第２ロケータレール５４は、少なくとも１つのスライドパネル４８の第２スライドパネル端部５５に取り付けられている。第１固定レール４２と第２固定レール５２は互いに平行である。
【００４９】
図６は図１の２−２線断面図であり、図１における下側部分を示している。第２固定レール５２は、第２フェイシアパネル５０の第２フェイシア面５７に取り付けられている。第２固定レール５２は、窓フレームアセンブリ２０のスライド動作を可能にすべく、スライドパネルアセンブリ６６と嵌合し、スライドパネルアセンブリ６６用のスライド経路を形成する。スライドパネルアセンブリ６６は、少なくとも１つのスライドパネル４８の第２スライドパネル端部５５に取り付けられた第２ロケータレール５４を含んでいる。
【００５０】
第２スライドシール部材５６は、第２フェイシアパネル５０の第２フェイシア端部５１に取り付けられている。第２スライドシール部材５６は、車両のパッセンジャーコンパートメントの外側で、少なくとも１つのスライドパネル４８のスライド面４９と、シール可能に接触する。この第２スライドシール部材５６は、少なくとも１つのスライドパネル４８が窓開口部６０を閉じたときに、騒音及び水が車両のパッセンジャーコンパートメント内に入るのを防止する。車両ボディフレーム３０の車両のボディ開口部６５では、窓フレーム周縁部６８上に窓フレームアセンブリシール部材６４が配置されている。窓フレームアセンブリシール部材６４としては、例えば、反応射出成形法又は熱可塑性エラストマー射出成形法により成形することができる、封止成形方法（encapsulation process）を用いることができる。また、窓フレームアセンブリシール部材６４としては、例えば、窓フレーム周縁部６８上及びその周囲に配置される、片側だけ又は片側と端部だけの窓フレームアセンブリシール部材６４を用いることができる。
【００５１】
図７は図１の３−３線断面図であり、図１における下側部分を示している。第２固定レール５２は、少なくとも１つの固定パネル５８の固定パネル面５９に取り付けられている。第２固定レール５２は、第２ロケータレール５４と嵌合し、第２ロケータレール５４用のスライド経路を形成する。第２ロケータレール５４は、少なくとも１つのスライドパネル４８の第２スライドパネル端部５５に取り付けられている。この第２固定レール５２は、次の（１）〜（３）のために作用する。
これは、次の（１）〜（３）のために作用する。
（１）窓フレームアセンブリ２０内に、第２ロケータレール５４及び少なくとも１つのスライドパネル４８の集合を収容する。
（２）前記集合体（第２ロケータレール５４及び少なくとも１つのスライドパネル４８の集合体）と、少なくとも１つの固定パネル５８との間の離間を維持する。
（３）前記集合体（第２ロケータレール５４及び少なくとも１つのスライドパネル４８の集合体）で、窓フレームアセンブリ２０の上側の部分をスライドさせる。
【００５２】
ピラーシール部材６２は、窓開口部６０（図５参照）の近傍で、少なくとも１つの固定パネル５８の固定パネル面５９に取り付けられている。少なくとも１つのスライドパネル４８が窓開口部６０を閉じたときに、騒音及び水が車両のパッセンジャーコンパートメント内に入るのを防止するために、ピラーシール部材６２は、少なくとも１つのスライドパネル４８と、外側のスライド面４９においてシール可能に接触する。車両ボディフレーム３０の車両ボディ開口部６５では、窓フレーム周縁部６８上に窓フレームアセンブリシール部材６４が配置される。窓フレームアセンブリシール部材６４としては、例えば、反応射出成形法又は熱可塑性エラストマー射出成形法により成形することができる、封止成形方法（encapsulation process）を用いることができる。また、窓フレームアセンブリシール部材６４としては、例えば、窓フレーム周縁部６８上及びその周囲に配置される、片側だけ又は片側と端部だけの窓フレームアセンブリシール部材６４を用いることができる。
【００５３】
図８は図１の４−４線断面図であり、図１における下側部分を示している。第２固定レール５２は、少なくとも１つの固定パネル５８の固定パネル面５９に取り付けられている。車両ボディフレーム３０の車両ボディ開口部６５では、窓フレーム周縁部６８上に窓フレームアセンブリシール部材６４が配置されている。
【００５４】
図９は、窓開口部６０の側方から見た、実質的にフラッシュ・サーフェス化された車両用窓フレームアセンブリ１０の断面を示す斜視図である。車両ボディフレーム３０は、少なくとも１つの固定パネル５８を取り囲んでいる。固定パネル５８上には、第２固定レール５２、ピラーシール部材６２、第２スライドシール部材５６、及び窓フレームアセンブリシール部材６４が配置されている。ピラーシール部材６２と第２スライドシール部材５６は互いにシールしている。また、窓フレームアセンブリシール部材６４と車両ボディフレーム３０は互いにシールしている。少なくとも１つのスライドパネル４８はスライド面４９を有し、スライド面４９上には第２ロケータレール５４が配置されている。第２ロケータレール５４を介して、第２スライドパネル端部５５上に配置されている、少なくとも１つのスライドパネル４８は第２ロケータレール５４と嵌合して接触している。第２ロケータレール５４は、少なくとも１つのスライドパネル４８が、第２スライドパネル端部５２の全長をスライド動作することを可能にし、少なくとも１つのスライドパネル４８が窓開口部６０を部分的に閉じることを可能にする。
【００５５】
少なくとも１つのスライドパネル４８は、少なくとも１つのスライドパネル４８が窓開口部６０を少なくとも部分的に閉じたときに、ピラーシール部材６２及び第２スライドシール部材５６とシール可能に接触する。このことにより、騒音及び水が窓開口部６０を通過するのを防止する。
【００５６】
実質的にフラッシュ・サーフェス化された車両用窓フレームアセンブリの製造方法は、下記の（１）〜（１１）のステップを含んでいる。
（１）第１フェイシアパネル、第２フェイシアパネル、及び２つの固定パネルが隣接する間に、窓開口部を形成するステップ。
（２）隣接する第１フェイシアパネル、第２フェイシアパネル、及び２つの固定パネルを、窓開口部から離れる方向に延ばすことにより、窓フレーム周縁部を形成するステップ。
（３）第１フェイシアパネルの第１フェイシア面に、第１固定レールを配置するステップ。
（４）第２フェイシアパネルの第２フェイシア面に、第２固定レールを配置するステップ。
（５）窓フレーム周縁部上に窓フレームアセンブリシール部材を配置するステップ。
（６）少なくとも１つのスライドパネルの第１スライドパネル端部上に第１ロケータレールを配置するステップ。
（７）少なくとも１つのスライドパネルの第２スライドパネル端部上に第２ロケータレールを配置するステップ。
（８）少なくとも１つのスライドパネル、第１ロケータレール、及び第２ロケータレールの集合体を、第１固定レールと第２固定レールの間に取り付けるステップ。
（９）第１フェイシア端部に第１スライドシール部材を配置するステップ。
（１０）第２フェイシア端部に第２スライドシール部材を配置するステップ。
（１１）各固定パネルの表面にピラーシール部材を配置するステップ。
【図面の簡単な説明】
【００５７】
【図１】本発明に係る実質的にフラッシュ・サーフェス化された車両用窓フレームアセンブリの一部を示す立面図である。
【図２】図１の２−２線断面図であり、図１における上側部分を示している。
【図３】図１の３−３線断面図であり、図１における上側部分を示している。
【図４】図１の４−４線断面図であり、図１における上側部分を示している。
【図５】少なくとも１つのスライドパネルが窓開口部の一部を覆っているときの、実質的にフラッシュ・サーフェス化された車両用窓フレームアセンブリ下側部分の一部を破断して示す立面図である。
【図６】図１の２−２線断面図であり、図１における下側部分を示している。
【図７】図１の３−３線断面図であり、図１における下側部分を示している。
【図８】図１の４−４線断面図であり、図１における下側部分を示している。
【図９】窓開口部の側方から見た、本発明に係る実質的にフラッシュ・サーフェス化された車両用窓フレームアセンブリの断面を示す斜視図である。
【符号の説明】
【００５８】
１０    実質的にフラッシュ・サーフェス化された車両用窓フレームアセンブリ
２０    窓フレームアセンブリ
３０    車両ボディフレーム
６０    窓開口部
６５    車両ボディ開口部
６８    窓フレーム周縁部
【図１】
2005515924.tif 000003
【図２】
2005515924.tif 000004
【図３】
2005515924.tif 000005
【図４】
2005515924.tif 000006
【図５】
2005515924.tif 000007
【図６】
2005515924.tif 000008
【図７】
2005515924.tif 000009
【図８】
2005515924.tif 000010
【図９】
2005515924.tif 000011
【手続補正書】
【提出日】平成16年3月15日(2004.3.15)
【手続補正１】
【補正対象書類名】特許請求の範囲
【補正対象項目名】全文
【補正方法】変更
【補正の内容】
【特許請求の範囲】
【請求項１】
互いに平行な上側開口部縁部及び下側開口部縁部を有する窓開口部がその中に画定されている固定パネル部分と、
前記固定パネル部分の主面上に配置された、前記上側開口部縁部の上方に位置し前記上側開口部縁部と平行な第１固定レール及び前記下側開口部縁部の下方に位置し前記下側開口部縁部と平行な第２固定レールと、
互いに反対側にある第１及び第２スライドパネル端部を有する少なくとも１つのスライドパネル、前記第１スライドパネル端部上に配置された第１ロケータレール、及び前記第２スライドパネル端部上に配置された第２ロケータレールを含んでいるスライドパネルアセンブリとを備えており、
前記第１及び第２固定レールは、窓開口部の平面に対してオフセットする平面内にあり、前記第１ロケータレールは前記第１固定レールと嵌合して接触しており、前記第２ロケータレールは前記第２固定レールと嵌合して接触しており、前記スライドパネルアセンブリは前記オフセット平面上の前記両固定レール上で滑動することにより、前記窓開口部を少なくとも部分的に閉じることができることを特徴とする窓フレームアセンブリ。
【請求項２】
上側及び下側の開口部縁部の全体に実質的に配置され、互いにシール可能に隣接し、前記スライドパネルが前記窓開口部の少なくとも一部を閉じたときに、前記スライドパネルの前記少なくとも１つの主面とシール可能に接触することができるスライドシール部材をさらに備えていることを特徴とする請求項１に記載の窓フレームアセンブリ。
【請求項３】
前記固定パネル部分の主面上に前記両窓開口部縁部の残り全体に渡って配置され、前記スライドシール部材とシール可能に隣接し、前記スライドパネルが前記窓開口部の少なくとも一部を閉じたときに、前記スライドパネルの前記少なくとも１つの主面とシール可能に接触することができ、そのことにより水分及び騒音が前記窓開口部を通過するのを防ぐピラーシール部材をさらに備えていることを特徴とする請求項２に記載の窓フレームアセンブリ。
【請求項４】
窓開口部を形成するために配置され、窓フレーム周縁部に配置されたシール部材を有しており、固定パネル端部を有する少なくとも１つの固定パネルと、
前記固定パネルの主面上で互いに平行に配置されており、前記窓開口部の上方及び下方に位置する第１固定レール及び第２固定レールと、
第１及び第２スライドパネル端部と少なくとも１つの主面を有する少なくとも１つのスライドパネル、第１スライドパネル端部上に配置された第１ロケータレール、及び前記第２スライドパネル端部上に配置された第２ロケータレールとを有しており、前記第１及び第２固定レールと嵌合して接触し、前記両固定レールの全長に渡って滑動することができるように配置され、前記窓開口部を少なくとも部分的に閉じることができるスライドパネルアセンブリと、
互いに反対側にある固定パネル両端部の全体に実質的に配置され、互いにシール可能に隣接し、前記スライドパネルが前記窓開口部の少なくとも一部を閉じたときに、前記スライドパネルの少なくとも１つの主面とシール可能に接触することができるスライドシール部材と、
少なくとも１つの固定パネルの主面上に前記固定パネル両端部の残り全体に渡って配置され、互いにシール可能に隣接し、前記スライドシール部材とシール可能に隣接し、前記スライドパネルが前記窓開口部の少なくとも一部を閉じたときに、前記スライドパネルの前記少なくとも１つの主面とシール可能に接触することができ、そのことにより水分及び騒音が前記窓開口部を通過するのを防ぐピラーシール部材と
を備えていることを特徴とする窓フレームアセンブリ。
【請求項５】
互いに間隙を介して平行に配置された、第１フェイシア端部を有する第１フェイシアパネル及び第２フェイシア端部を有する第２フェイシアパネルと、
互いに間隙を介して平行に配置され、それぞれ固定パネル端部を有する２つの固定パネルと、
前記第１フェイシアパネルの第１フェイシア面上に配置され、窓開口部の近傍に位置し、前記第１フェイシア端部と平行であり、窓フレーム周縁部に向かって延びる第１固定レールと、
前記第２フェイシアパネルの第２フェイシア面上に配置され、前記窓開口部の近傍に位置し、前記第２フェイシア端部と平行であり、窓フレーム周縁部に向かって延びる第２固定レールと、
前記窓フレーム周縁部上に配置される窓フレームアセンブリシール部材とを備えており、
前記第１フェイシア端部、第２フェイシア端部及び２つの固定パネル端部の間に窓開口部を形成すべく、前記第１及び第２フェイシア端部は前記固定パネル端部に対して垂直であり、前記第１フェイシアパネル、前記第２フェイシアパネル及び前記２つの固定パネルは、窓フレーム周縁部を形成すべく、互いに隣接しつつ、前記窓開口部から離れて延びていることを特徴とする窓フレームアセンブリ。
【請求項６】
前記第１フェイシアパネル、前記第２フェイシアパネル及び前記２つの固定パネルは、ガラスから成ることを特徴とする請求項５に記載の窓フレームアセンブリ。
【請求項７】
前記第１フェイシアパネル、前記第２フェイシアパネル及び前記２つの固定パネルは、プラスチックから成ることを特徴とする請求項５に記載の窓フレームアセンブリ。
【請求項８】
前記窓フレームアセンブリシール部材は、封止可能なシール部材から成ることを特徴とする請求項５に記載の窓フレームアセンブリ。
【請求項９】
前記封止可能なシール部材は、反応射出成形法により成形されることを特徴とする請求項８に記載の窓フレームアセンブリ。
【請求項１０】
前記封止可能なシール部材は、熱可塑性エラストマー成形法により成形されることを特徴とする請求項８に記載の窓フレームアセンブリ。
【請求項１１】
第１スライドパネル端部及び第１スライドパネル端部を有する少なくとも１つのスライドパネルと、
前記第１スライドパネル端部上に配置される第１ロケータレールと、
前記第２スライドパネル端部上に配置される第２ロケータレールと
を備えていることを特徴とするスライドパネルアセンブリ。
【請求項１２】
前記少なくとも１つのスライドパネルは、ガラスから成ることを特徴とする請求項１１に記載のスライドパネルアセンブリ。
【請求項１３】
前記少なくとも１つのスライドパネルは、プラスチックから成ることを特徴とする請求項１１に記載のスライドパネルアセンブリ。
【請求項１４】
互いに間隙を介して平行に配置された、第１フェイシア端部を有する第１フェイシアパネル及び第２フェイシア端部を有する第２フェイシアパネルと、
互いに間隙を介して平行に配置され、それぞれ固定パネル端部を有する２つの固定パネルと、
前記第１フェイシアパネルの第１フェイシア面上に配置され、窓開口部の近傍に位置し、前記第１フェイシア端部と平行であり、窓フレーム周縁部に向かって延びる第１固定レールと、
前記第２フェイシアパネルの第２フェイシア面上に配置され、前記窓開口部の近傍に位置し、前記第２フェイシア端部と平行であり、窓フレーム周縁部に向かって延びる第２固定レールと、
前記窓フレーム周縁部上に配置された窓フレームアセンブリシール部材と、
第１スライドパネル端部及び第２スライドパネル端部を有する少なくとも１つのスライドパネルと
それらの間に少なくとも１つのスライドパネルと共に、及び前記第２固定レールと嵌合して接触する第２ロケータレールと、
第１スライドパネル端部上に配置され、前記第１固定レールと嵌合して接触する第１ロケータレールと、
第２スライドパネル端部上に配置され、前記第２固定レールと嵌合して接触する第２ロケータレールと、
前記第１固定レール及び前記第２固定レール間を、窓フレームアセンブリの全長に渡って、スライド可能に移動できるように構成された集合体と、
前記窓開口部の幅方向に、及び前記窓開口部と平行に、前記第１フェイシアパネル上に配置された第１スライドシール部材と、
前記窓開口部の幅方向に、及び前記窓開口部と平行に、前記第２フェイシアパネル上に配置された第２スライドシール部材と、
前記第２つの固定パネルの各固定パネル面上に配置された２つのピラーシール部材とを備えており、
前記第１及び第２フェイシア端部は前記固定パネル端部に対して垂直であり、前記第１フェイシア端部、前記第２フェイシア端部及び前記２つの固定パネル端部の間に窓開口部を形成し、前記第１フェイシアパネル、前記第２フェイシアパネル及び前記２つの固定パネルは、窓フレーム周縁部を形成すべく、互いに隣接しつつ、前記窓開口部から離れて延びており、
前記第１固定レール及び前記第２固定レールは、窓フレームアセンブリの全長に渡って互いに平行であり、
第１ロケータレールと第２ロケータレールとの間には、少なくとも１つのスライドパネルが一体となっており、
各ピラーシール部材は、平行であり、前記窓開口部の幅方向に延びており、前記第１及び第２スライドシール部材に対して垂直であり、第１及び第２スライドシール部材に対してシール可能に隣接しており、
前記第１スライドシール部材は、少なくとも１つのスライドパネルが前記窓開口部を横切ったときに、騒音及び水分が前記窓開口部を通過するのを防ぐべく、前記第２スライドシール部材と共に、さらには各ピラーシール部材と共に、車両の外側に露出する少なくとも１つのスライドパネルのスライド面とシール可能に接触し、
前記窓フレームアセンブリシール部材、前記固定パネル、前記第１フェイシアパネル、前記第２フェイシアパネル、前記第１固定レール、前記第２固定レール、前記第１ロケータレール、前記第２ロケータレール、前記少なくとも１つのスライドパネル、前記ピラーシール部材、前記第１スライドシール部材、及び前記第２スライドシール部材の集合体は、車両ボディフレームの車両ボディ開口部内に配置され、
さらには、車両ボディ開口部内の前記集合体の累積厚さは、前記集合体を外部の車両ボディフレーム平面上に配置させることを特徴とする実質的にフラッシュ・サーフェス化された車両用窓フレームアセンブリ。
【請求項１５】
前記第１フェイシアパネル、前記第２フェイシアパネル、前記２つの固定パネル、及び前記少なくとも２つのスライドパネルは、ガラスから成ることを特徴とする請求項１４に記載の実質的にフラッシュ・サーフェス化された車両用窓フレームアセンブリ。
【請求項１６】
前記第１フェイシアパネル、前記第２フェイシアパネル、前記２つの固定パネル、及び前記少なくとも２つのスライドパネルは、プラスチックから成ることを特徴とする請求項１４に記載の実質的にフラッシュ・サーフェス化された車両用窓フレームアセンブリ。
【請求項１７】
前記窓フレームアセンブリシール部材は、封止可能なシール部材から成ることを特徴とする請求項１４に記載の実質的にフラッシュ・サーフェス化された車両用窓フレームアセンブリ。
【請求項１８】
前記封止可能なシール部材は、反応射出成形法により成形されることを特徴とする請求項１７に記載の実質的にフラッシュ・サーフェス化された車両用窓フレームアセンブリ。
【請求項１９】
前記封止可能なシール部材は、熱可塑性エラストマー成形法により成形されることを特徴とする請求項１７に記載の実質的にフラッシュ・サーフェス化された車両用窓フレームアセンブリ。
【請求項２０】
前記スライドシール部材は、エチレンプロピレンジエンモノマーから成ることを特徴とする請求項１４に記載の実質的にフラッシュ・サーフェス化された車両用窓フレームアセンブリ。
【請求項２１】
前記ピラーシール部材は、エチレンプロピレンジエンモノマーから成ることを特徴とする請求項１４に記載の実質的にフラッシュ・サーフェス化された車両用窓フレームアセンブリ。
【請求項２２】
前記窓フレームアセンブリシール部材は、前記固定パネルの表面上に配置される片側だけのシール部材から成ることを特徴とする請求項１４に記載の実質的にフラッシュ・サーフェス化された車両用窓フレームアセンブリ。
【請求項２３】
前記窓フレームアセンブリシール部材は、前記固定パネルの表面及び窓フレーム周縁部上に配置される、片側だけ及び端部だけのシール部材から成ることを特徴とする請求項１４に記載の実質的にフラッシュ・サーフェス化された車両用窓フレームアセンブリ。
【請求項２４】
第１フェイシアパネル、第２フェイシアパネル、及び２つの固定パネルが隣接する間に、窓開口部を形成するステップと、
隣接する前記第１フェイシアパネル、前記第２フェイシアパネル、及び前記２つの固定パネルを、前記窓開口部から離れる方向に延ばすことにより、窓フレーム周縁部を形成するステップと、
前記第１フェイシアパネルの第１フェイシア面に、第１固定レールを配置するステップと、
前記第２フェイシアパネルの第２フェイシア面に、第２固定レールを配置するステップと、
前記窓フレーム周縁部上に窓フレームアセンブリシール部材を配置するステップと、
少なくとも１つのスライドパネルの第１スライドパネル端部上に第１ロケータレールを配置するステップと、
少なくとも１つのスライドパネルの第２スライドパネル端部上に第２ロケータレールを配置するステップと、
前記少なくとも１つのスライドパネル、前記第１ロケータレール、及び前記第２ロケータレールの集合体を、前記第１固定レールと前記第２固定レールの間に取り付けるステップと、
前記第１フェイシア端部に第１スライドシール部材を配置するステップと、
前記第２フェイシア端部に第２スライドシール部材を配置するステップと、
各固定パネルの表面にピラーシール部材を配置するステップと
を含むことを特徴とする実質的にフラッシュ・サーフェス化された車両用窓フレームアセンブリの製造方法。
【請求項２５】
前記固定パネル部分は、１個のユニットとして構成されることを特徴とする請求項１に記載の窓フレームアセンブリ。
【請求項２６】
前記固定パネル部分は、互いに相対的に固定された複数個の部品より構成されることを特徴とする請求項１に記載の窓フレームアセンブリ。
【国際調査報告】
2005515924.tif 000012
2005515924.tif 000013
2005515924.tif 000014